(57)【要約】【課題】変形・破損が少なく、布等の固定対象物を強固に固定できる樹脂製の安全ピンを提供する。【解決手段】全体が樹脂で形成された安全ピンであって、屈曲自在な細軸部(28)の先端から延長された太軸部(27)の先端が次第に細くなって針先となっている刺し針(23)と、前記刺し針(23)の後端と一体化された棒状又は板状の補強用ベース部材(21)とを具備し、前記刺し針(23)は、前記細軸部のうち前記後端から所定距離離れた部分が前記補強用ベース部材(21)の一端外周に沿って折り返されることによって前記太軸部(27)が前記補強用ベース部材(21)の一方の面に重ねられる構成であり、前記補強用ベース部材(21)の前記一方の面には、前記太軸部(27)と前記細軸部(28)の境界の段部が前記太軸側から係合する係合部(31)が形成されていること。【選択図】    図１
2004201801.tif 000002
【特許請求の範囲】
【請求項１】
全体が樹脂で形成された安全ピンであって、
屈曲自在な細軸部の先端から延長された太軸部の先端が次第に細くなって針先となっている刺し針と、
前記刺し針の後端と一体化された棒状又は板状の補強用ベース部材とを具備し、
前記刺し針は、前記細軸部のうち前記後端から所定距離離れた部分が前記補強用ベース部材の一端外周に沿って折り返されることによって前記太軸部が前記補強用ベース部材の一方の面に重ねられる構成であり、
前記補強用ベース部材の前記一方の面には、前記太軸部と前記細軸部の境界の段部が前記太軸側から係合する係合部が形成されている、安全ピン。
【請求項２】
請求項１に記載の安全ピンに於いて、
前記補強用ベース部材の前記一方の面に形成された係合用隆起部の頂面に開放する直線溝が設けられており、
前記直線溝は、前記係合用隆起部の外周壁のうち前記一端外周に対向する一側壁から他側壁に貫通していると共に、溝幅は前記細軸部の太さ以上で太軸部の太さ未満の寸法に設定されており、
前記直線溝が前記他側壁に開放する部分が前記係合部である、安全ピン。
【請求項３】
請求項１又は請求項２に記載の安全ピンを複数備えた樹脂成形品であって、
文字等の記入又は表示を行う表面を備えたプレートに対して、前記複数の安全ピンが分離可能状態に一体成形されている、樹脂成形品。
【請求項４】
生分解性樹脂で形成された、請求項１若しくは請求項２に記載の安全ピン、又は、請求項３に記載の樹脂成形品。
【発明の詳細な説明】
【０００１】
【発明の属する技術分野】
本発明は、変形・破損の心配が少なく且つ布等の対象物を強固に固定できる樹脂製の安全ピンに関するものである。
【０００２】
【従来の技術】
取り扱い時の安全性向上の観点から、全体を合成樹脂で形成した安全ピンが開発されている。
図７は従来の合成樹脂製の安全ピン（特許文献１参照）の正面図である。
このものは全体が合成樹脂で形成されており、略Ｕ字形の湾曲部(11)の一端から延長された基端軸(13)の先端には、前記湾曲部(11)に対向する半円状のフック部(15)が形成されている。上記湾曲部(11)の他端から延長された刺し針(16)の先端には円錐状頭部(17)が形成されていると共に、該円錐状頭部(17)に続く小径の首部(10)は、上記フック部(15)に形成された係合溝部(19)に対して図７の紙面の手前から裏面側に向けて着脱自在に押し込まれるようになっている。
【０００３】
このものでは、例えば、二枚の布の重ね合わせ部に刺し針(16)を突き刺し、その後、円錐状頭部(17)に続く小径の首部(10)をフック部(15)の係合溝部(19)に押し込むと、前記二枚の布が結合される。
【０００４】
このものでは、金属に比べて剛性が低い合成樹脂で形成されているから、取り扱い時に刺し針(16)が身体に当たってもこれが撓んで突き刺さる心配が少なく、安全性が担保される。
【０００５】
【特許文献１】
特開平９−２８４１８号公報
【特許文献２】
特開平９−１５４６０３号公報
【特許文献３】
特表平９−５０２８９１号公報
【０００６】
【発明が解決しようとする課題】
しかしながら、上記従来のものでは、全体が合成樹脂で形成されて剛性が低くなっているから、布等の対象物に刺し通された刺し針(16)が外力によって変形し易く、安全ピンによる布等の固定部に弛みが生じ易いという問題があった。
又、刺し針(16)や基端軸(13)が変形し易いと、係合溝部(19)と刺し針(16)の係合状態が不用意に解除され易くなり、これにより、安全ピンによる固定が外れる心配がある。
本発明は、かかる点に鑑みて成されたもので、変形・破損が少なく、布等の固定対象物を強固に固定できる樹脂製の安全ピンを提供することを課題とする。
【０００７】
【課題を解決するための手段】
[１項]
上記課題を解決するための本発明の技術的手段は、
『全体が樹脂で形成された安全ピンであって、
屈曲自在な細軸部の先端から延長された太軸部の先端が次第に細くなって針先となっている刺し針と、
前記刺し針の後端と一体化された棒状又は板状の補強用ベース部材とを具備し、
前記刺し針は、前記細軸部のうち前記後端から所定距離離れた部分が前記補強用ベース部材の一端外周に沿って折り返されることによって前記太軸部が前記補強用ベース部材の一方の面に重ねられる構成であり、
前記補強用ベース部材の前記一方の面には、前記太軸部と前記細軸部の境界の段部が前記太軸側から係合する係合部が形成されている』ことである。
【０００８】
上記技術的手段によれば、二枚の布や紙等等の重ね合わせ部に刺し針を刺し通した後、該刺し通した部分より先端側の屈曲自在な細軸部を補強用ベース部材の一端外周に沿って折り返す。そして、この折り返された刺し針の太軸部と細軸部の境界に位置する段部を、補強用ベース部材の一方の面に形成された係合部に太軸部側から係合させると、二枚の布や紙等が結合される。
【０００９】
このものでは、安全ピンの使用時には刺し針が補強用ベース部材の一端外周に沿って折り返された状態になっている。従って、刺し針を後端に引張るような外力が発生した場合、この外力は、補強用ベース部材の前記一端外周部とこれに対する刺し針の折り返し接触部とで受け止められる（前記接触部の摩擦力で受け止められる）だけでなく、更に、前記外力は、補強用ベース部材に形成された係合部と刺し針の段部（太軸部から細軸部に変化する部分）との係合部でも受け止められる。即ち、上記技術的手段によれば、刺し針をその後端側に引張るような外力が作用すると、該外力は、前記刺し針の折り返し部と補強用ベース部材の一端外周の摩擦接触部及び、前記段部と係合部の係合位置の二箇所で受け止められる。よって、刺し針が補強用ベース部材に強固に固定され、該刺し針の前記係合が不用意に解除される心配が少なくなる。
【００１０】
[２項]
前記１項に於いて、
『前記補強用ベース部材の前記一方の面に形成された係合用隆起部の頂面に開放する直線溝が設けられており、
前記直線溝は、前記係合用隆起部の外周壁のうち前記一端外周に対向する一側壁から他側壁に貫通していると共に、溝幅は前記細軸部の太さ以上で太軸部の太さ未満の寸法に設定されており、
前記直線溝が前記他側壁に開放する部分が前記係合部である』ものでは、補強用ベース部材の一端外周に沿って折り曲げられた部分より前方の細軸部を前記係合用隆起部の頂面側から直線溝に沿う態様で押し込むと、該直線溝の延長方向の出口部、即ち、前記直線溝が前記他側壁に開放する部分に太軸部と細軸部の境界の段部が係合し、これにより、刺し針が前記係合用隆起部に保持される。
【００１１】
[３項]
『請求項１又は２に記載の安全ピンを複数備えた樹脂成形品であって、
文字等の記入又は表示を行う表面を備えたプレートに対して、前記複数の安全ピンが分離可能状態に一体成形されている』ものでは、例えば、マラソン大会等のスポーツイベントで本発明の樹脂成形品をゼッケンと共に選手に配布すると、各選手はプレートから分離した複数の安全ピンでゼッケンをシャツに固定することが出来る。従って、ゼッケンの固定に必要な数の安全ピンが一体成形された樹脂成形品を準備しておけば、安全ピンを各選手に渡す際にその必要数を逐一数える作業が不要になる。
又、安全ピンを分離した後のプレートは、文字等の記入や表示を行う為に使用できるので、これに各選手のタイム等を記入したり、又、大会名前やスポンサー名等を表示することにより前記プレートを記録具，広告・宣伝具として機能させることができる。
【００１２】
[４項]
前記１項又は２項の安全ピン及び３項の樹脂成形品の材料は特に限定されるものではないが、『生分解性樹脂で成形された』ものとすれば、使用済みの安全ピン等がそのまま自然環境に廃棄されても、これが分解されて土壌に戻るから、自然の生態系を汚染する心配がない。
【００１３】
【発明の効果】
本発明は、上記構成であるから次の特有の効果を有する。
刺し針の後端側にこれを引張るような外力が作用した場合、該外力は、補強用ベース部材の一端外周と刺し針の折り返し接触部及び、前記段部と係合部の係合位置の二箇所で受け止められる。よって、刺し針が補強用ベース部材に強固に固定され、該刺し針の前記係合が不用意に解除される心配が少なくなる。
【００１４】
３項のものでは、複数の安全ピンが一体成形された樹脂成形品単位で取り扱えるから、安全ピンを一本単位で取り扱う場合に比べて、取り扱いが容易になり、取り扱い作業が迅速に行える。
【００１５】
４項のものでは、上記のように自然の生態系を汚染する心配がない。
【００１６】
【発明の実施の形態】
次に、上記した本発明の実施の形態を図面に従って詳述する。
本実施の形態に係る安全ピンは、全体が生分解性樹脂で形成されたものであり、図１に示すように、角棒状に形成された補強用ベース部材(21)の裏面(20)の一端部に突設された基端ブロック(22)から一体的に延長された刺し針(23)を備えている。この刺し針(23)は、補強用ベース部材(21)に於ける前記基端ブロック(22)と反対側の端部(24)の外周に沿って折り返されて既述一方の面としての表面(25)に達する長さを有している。
【００１７】
上記刺し針(23)は、針先(26)から次第に太くなった太軸部(27)とその基端側に続く細軸部(28)を備えており、該細軸部(28)の後端が既述した基端ブロック(22)に一体化されている。そして、前記細軸部(28)が補強用ベース部材(21)の前記端部(24)の外周に沿って折り曲げられるようになっている。
【００１８】
前記補強用ベース部材(21)の表面(25)には、刺し針(23)の折り曲げ側の端部(24)に位置する直方体状の係合用隆起部(31)が設けられており、該係合用隆起部(31)には補強用ベース部材(21)の軸方向に貫通し且つ頂面に開放する直線溝(32)が形成されている。そして、該直線溝(32)の溝幅は、刺し針(23)の細軸部(28)の太さより若干大きく且つ太軸部(27)の太さ未満の寸法に設定されている。従って、上記直線溝(32)には該直線溝(32)に沿うように上端開口部から溝底に向けて前記細軸部(28)を挿入することが出来る。そして、該挿入状態では、刺し針(23)の太軸部(27)と細軸部(28)の境界に位置する段部(33)が直線溝(32)の係合部たる溝出口(34)に係合し、これにより、刺し針(23)がその基端部に向けて移動するのが阻止されるようになっている。尚、上記直線溝(32)の溝幅は、前記細軸部(28)の太さと同じ寸法に設定してもよい。
【００１９】
又、補強用ベース部材(21)の表面(25)には、係合用隆起部(31)と反対側の端部から軸方向の中央部の範囲に亘って隆起する直方体状の差込筒(30)が突設されており、該差込筒(30)には、係合用隆起部(31)側の端面から軸方向に延びる差込孔(36)が形成されている。そして、前記差込孔(36)には、刺し針(23)の太軸部(27)が挿入されるようになっている。
【００２０】
上記安全ピン(A)は、この実施の形態では８本一組で射出成形される。
このため、図４に示すように、文字等を記入したり、又、宣伝・広告等の表示を行う為の記入面又は表示面を形成する表示ラベル(42)を貼着する共通のプレート(41)(41)の外周縁部に安全ピン(A)(A)の後端が一体化された状態の樹脂成形品(B)として射出成形される。具体的には、一枚のプレート(41)に対して四本の安全ピン(A)(A)が連設された集合物が二組同時に射出成形されて樹脂成形品(B)が得られるようになっている。従って、該樹脂成形品(B)は合計八本の安全ピン(A)(A)を具備している。
【００２１】
尚、プレート(41)の表面に宣伝・広告等を直接印刷する構成であってもよい。又、宣伝・広告等の印刷部の上方に透明樹脂をドーム状に盛り上げることにより、該透明樹脂のレンズ効果によって印刷が拡大されて視認されるようにしてもよい。
【００２２】
このものでは、例えば、マラソン大会等のスポーツイベント会場で、二枚のゼッケンに、図４に示す樹脂成形品(B)をセットして各選手に配布する。
【００２３】
ゼッケン等を受領した選手は、上記樹脂成形品(B)から安全ピン(A)(A)を分離し、該安全ピン(A)(A)でゼッケンをシャツに取付ける。具体的には、シャツとゼッケンの重ね合わせ部に安全ピン(A)(A)の刺し針(23)を刺し通した後、図２の想像線で示すように、刺し針(23)の細軸部(28)を補強用ベース部材(21)の端部(24)に沿って折り返し、その後、細軸部(28)を係合用隆起部(31)の直線溝(32)に押し込む。又、刺し針(23)の先端の太軸部(27)を差込筒(30)に挿入し、これにより該先端部を安定させる。すると、図５に示すように、太軸部(27)と細軸部(28)の境界の段部(33)が直線溝(32)の溝出口(34)に係合し、これにより、安全ピン(A)を介して、ゼッケン(91)がシャツ(92)に固定される。
【００２４】
そして、この固定状態においては、刺し針(23)が補強用ベース部材(21)の端部(24)外周に沿って折り返されているから、刺し針(23)が補強用ベース部材(21)の前記端部(24)の外周に巻回状態に係合する。従って、図４に示すように、刺し針(23)を後端側に引張るような外力Ｆが作用しても、この外力は、刺し針(23)の折り返し部と前記端部(24)の接触部(95)と、刺し針(23)の先端近傍の太軸部(27)の基端部の段部(33)と係合用隆起部(31)との第２の係合部(96)の、二箇所の係合によって、受け止められる。よって、刺し針(23)が係合用隆起部(31)から不用意に外れる心配が少なくなる。
【００２５】
又、このものでは、樹脂成形品(B)が生分解性の樹脂で形成されているから、使用済みの安全ピン(A)を、そのまま自然環境に廃棄しても、これが自然に土に戻るから、自然環境を汚染することがない。従って、使い捨てに好適な安全ピン(A)が得られる。
【００２６】
[その他]
▲１▼本発明の安全ピン(A)は、マラソン等のスポーツイベントのゼッケン装着の用途以外に、種々の布や紙等を対象物に取付ける場合に適用できることは言うまでもない。
▲２▼上記実施の形態では、刺し針(23)は、先端近傍の太軸部(27)以外の部分を細軸部(28)としたが、補強用ベース部材(21)の端部(24)に沿って折り曲げられる部分だけ細軸部(28)としてもよい。
▲３▼上記実施の形態では、補強用ベース部材(21)を角棒状に形成したが、所定の肉厚保を備えた矩形状の板状体を補強用ベース部材(21)として採用してもよい。▲４▼補強用ベース部材(21)の表面に、係合用隆起部(31)と所定間隔を隔てて太軸挟持部(53)を形成してもよい。即ち、刺し針(32)の太軸部(72)を圧入し得る間隔を隔てて配設された突出片(51)(52)で太軸挟持部(53)を形成する。このようにすると、刺し針(23)の太軸部(27)の基端部に位置する段部(33)は、既述と同様に、係合用隆起部(31)に形成された直線溝(32)の溝出口部の周縁に係合する一方、太軸部(27)は太軸挟持部(53)に圧入状態に保持される。よって、折り返した刺し針(23)が一層安定的に保持される。
【図面の簡単な説明】
【図１】本発明の実施の形態に係る安全ピン(A)の斜視図
【図２】本発明の実施の形態に係る安全ピン(A)の縦断面図
【図３】本発明の実施の形態に係る安全ピン(A)の側面図
【図４】樹脂成形品(B)の斜視図
【図５】本発明の実施の形態に係る安全ピン(A)の刺し針(23)を端部(24)に沿って屈曲させた状態の要部断面図
【図６】変形例の説明図
【図７】従来例の説明図
【符号の説明】
(21)・・・補強用ベース部材
(23)・・・刺し針
(26)・・・針先
(27)・・・太軸部
(28)・・・細軸部
(31)・・・係合用隆起部
(32)・・・直線溝
(33)・・・段部
(44)・・・プレート
【図１】
2004201801.tif 000003
【図２】
2004201801.tif 000004
【図３】
2004201801.tif 000005
【図４】
2004201801.tif 000006
【図５】
2004201801.tif 000007
【図６】
2004201801.tif 000008
【図７】
2004201801.tif 000009